(57)【要約】【課題】充電時に冷却性能を極力確保できる車両用サーモサイフォン式冷却装置を提供する。【解決手段】二次電池１１から吸熱して冷媒を蒸発させる蒸発部１３と、蒸発器で蒸発した冷媒を凝縮させる凝縮器１４と、蒸発部１３と凝縮器１４との間を循環する冷媒を液相状態で貯留する貯留部４０と、二次電池１１が充電されている場合、または二次電池１１が充電されると推定される場合、貯留部４０の冷媒の貯留量を所定量Ｖｐ以上にする貯留量調整部３０、４１、４４、４６、５２、５５とを備える。【選択図】図５
2020176784.tif 000002
【特許請求の範囲】
【請求項１】
二次電池（１１）から吸熱して冷媒を蒸発させる蒸発部（１３）と、
前記蒸発部で蒸発した前記冷媒を凝縮させる凝縮器（１４）と、
前記蒸発部と前記凝縮器との間を循環する前記冷媒を液相状態で貯留する貯留部（４０）と、
前記二次電池が充電されている場合、または前記二次電池が充電されると推定される場合、前記貯留部の前記冷媒の貯留量を所定量（Ｖｐ）以上にする貯留量調整部（３０、４１、４４、４６、５２、５５）とを備える車両用サーモサイフォン式冷却装置。
【請求項２】
前記貯留量調整部は、前記二次電池が充電されている場合、または前記二次電池が充電されると推定され、かつ車両の傾斜角度（θ）が所定角度よりも小さい場合、前記貯留部の前記冷媒の貯留量を前記所定量以上にする請求項１に記載の車両用サーモサイフォン式冷却装置。
【請求項３】
前記貯留量調整部は、前記二次電池の充電が終了した場合、前記貯留部の前記冷媒の貯留量を前記所定量よりも減少させる請求項１または２に記載の車両用サーモサイフォン式冷却装置。
【請求項４】
前記貯留量調整部は、停車中かつ車両の傾斜角度（θ）が所定角度よりも小さい場合、前記貯留部の前記冷媒の貯留量を前記所定量以上にする請求項１に記載の車両用サーモサイフォン式冷却装置。
【請求項５】
前記貯留量調整部は、停車を終了した場合、前記貯留部の前記冷媒の貯留量を前記所定量よりも減少させる請求項４に記載の車両用サーモサイフォン式冷却装置。
【請求項６】
前記貯留量調整部は、前記貯留部内の前記冷媒の相変化を伴う伝熱を行うことによって、前記貯留部の前記冷媒の貯留量を調整する請求項１ないし５のいずれか１つに記載の車両用サーモサイフォン式冷却装置。
【請求項７】
前記貯留量調整部は、前記貯留部の冷媒流通口（４０１、４０２）の開口面積を調整することによって前記貯留部の前記冷媒の貯留量を調整する請求項１ないし６のいずれか１つに記載の車両用サーモサイフォン式冷却装置。
【請求項８】
前記貯留部は、前記蒸発部から流出した前記冷媒が流入する冷媒入口（４０１）と、前記凝縮器側へ気相の前記冷媒を流出させるガス冷媒出口（４０５）と、前記凝縮器側へ液相の前記冷媒を流出させる液冷媒出口（４０６）とを有し、
さらに、前記液冷媒出口を開閉する流出弁（５５）を備える請求項１ないし６のいずれか１つに記載の車両用サーモサイフォン式冷却装置。
【請求項９】
前記蒸発部は、前記二次電池から吸熱して冷媒を蒸発させる複数の蒸発器を有しており、
前記複数の蒸発器は、互いの相対位置が固定されている請求項１ないし８のいずれか１つに記載の車両用サーモサイフォン式冷却装置。
【請求項１０】
前記貯留部の内圧が所定圧力以上になった場合、前記貯留部の内圧を低下させるリリーフ弁（４６）を備える請求項１ないし９のいずれか１つに記載の車両用サーモサイフォン式冷却装置。
【請求項１１】
前記貯留量調整部は、充電コネクタ差込口に充電器側の充電コネクタが接続された場合、前記充電コネクタ差込口のカバーが開けられた場合、カーナビゲーション装置の車両位置情報に基づいて前記充電器の充電ケーブルの届く範囲に停車されたと判断できる場合、前記カーナビゲーション装置の情報により前記充電器の設置場所に到着したと判断された場合、および前記カーナビゲーション装置で目的地が前記充電器の設置場所に設定されている場合において前記目的地に到着したと判断された場合のうち少なくとも１つの場合、前記二次電池が充電されると推定する請求項１ないし１０のいずれか１つに記載の車両用サーモサイフォン式冷却装置。
【請求項１２】
二次電池（１１）から吸熱して冷媒を蒸発させる蒸発部（１３）と、
前記蒸発部で蒸発した前記冷媒を凝縮させる凝縮器（１４）と、
前記蒸発部と前記凝縮器との間を循環する前記冷媒を液相状態で貯留する貯留部（４０）と、
前記二次電池の発熱量に応じて前記貯留部の前記冷媒の貯留量を調整する貯留量調整部（３０、４１、４４、４６、５２、５５）とを備える車両用サーモサイフォン式冷却装置。
【請求項１３】
前記貯留量調整部は、前記二次電池の発熱量が多いほど、前記貯留部の前記冷媒の貯留量を増加させる請求項１２に記載の車両用サーモサイフォン式冷却装置。
【請求項１４】
前記貯留量調整部は、前記二次電池の発熱量が所定量よりも多く、かつ車両の傾斜角度（θ）が所定角度よりも小さい場合、前記貯留部の前記冷媒の貯留量を前記所定量以上にする請求項１２または１３に記載の車両用サーモサイフォン式冷却装置。
【発明の詳細な説明】
【技術分野】
【０００１】
本発明は、車載機器を冷却するサーモサイフォン式冷却装置に関する。
【背景技術】
【０００２】
従来、特許文献１には、冷媒を自然循環させるサーモサイフォン式冷却装置が記載されている。
【０００３】
この従来技術は、ガス冷媒を凝縮して液冷媒とする熱交換部と、液冷媒を蒸発させてガス冷媒とする蒸発器とを備えている。熱交換部の液冷媒は蒸発器へ流下し、蒸発器のガス冷媒は熱交換部へ上昇する。蒸発器で液冷媒が吸熱することによって冷却作用を発揮する。
【先行技術文献】
【特許文献】
【０００４】
【特許文献１】特許第４９４５７１２号
【発明の概要】
【発明が解決しようとする課題】
【０００５】
上記従来技術のようなサーモサイフォン式冷却装置をハイブリッド車両や電気自動車に搭載して走行用電池の冷却に適用した場合、車両の傾斜によって冷却性能を十分に発揮できないことが起こりうる。
【０００６】
すなわち、車両が傾斜すると蒸発器内において液冷媒に偏りが生じて液冷媒が存在しない部位が生じるので、液冷媒で吸熱できない部位が生じる。そのため、走行用電池を冷却できない部位が生じる。
【０００７】
この対策として、液冷媒を多めに封入しておけば、車両が傾斜しても蒸発器内に液冷媒が存在しない部位が生じないようにすることができる。しかしながら、液冷媒を多めに封入すると、充電時といった走行用電池の発熱量が多い場合、蒸発器内において液冷媒の蒸発が激しくなって液冷媒がガス冷媒とともに吹き上げられてガス冷媒の上昇を妨げてしまい、冷却性能が低下してしまう。特に、急速充電時には、走行用電池の発熱量が極めて多くなって蒸発器内の液冷媒の蒸発が極めて激しくなるので、冷却性能が著しく低下してしまう。
【０００８】
本発明は上記点に鑑みて、充電時に冷却性能を極力確保できる車両用サーモサイフォン式冷却装置を提供することを目的とする。
【０００９】
本発明は上記点に鑑みて、蒸発器内の液冷媒の吹き上げによって冷却性能が低下することを抑制することを他の目的とする。
【課題を解決するための手段】
【００１０】
上記目的を達成するため、請求項１に記載の車両用サーモサイフォン式冷却装置は、
二次電池（１１）から吸熱して冷媒を蒸発させる蒸発部（１３）と、
蒸発器で蒸発した冷媒を凝縮させる凝縮器（１４）と、
蒸発部（１３）と凝縮器（１４）との間を循環する冷媒を液相状態で貯留する貯留部（４０）と、
二次電池（１１）が充電されている場合、または二次電池（１１）が充電されると推定される場合、貯留部（４０）の冷媒の貯留量を所定量（Ｖｐ）以上にする貯留量調整部（３０、４１、４４、４６、５２、５５）とを備える。
【００１１】
これによると、二次電池（１１）が充電されて発熱量が多くなったときに蒸発部（１３）内の液冷媒の量を少なくすることができるので、蒸発部（１３）内の液冷媒の吹き上げを抑制できる。そのため、充電時に冷却性能を極力確保できる。
【００１２】
上記他の目的を達成するため、請求項１２に記載の車両用サーモサイフォン式冷却装置は、
二次電池（１１）から吸熱して冷媒を蒸発させる蒸発部（１３）と、
蒸発部で蒸発した前記冷媒を凝縮させる凝縮器（１４）と、
蒸発部と前記凝縮器との間を循環する前記冷媒を液相状態で貯留する貯留部（４０）と、
二次電池の発熱量に応じて前記貯留部の前記冷媒の貯留量を調整する貯留量調整部（３０、４１、４４、４６、５２、５５）とを備える。
【００１３】
これによると、二次電池（１１）の発熱量が多くなったときに蒸発部（１３）内の液冷媒の量を少なくして蒸発部（１３）内の液冷媒の吹き上げを抑制できる。そのため、蒸発器内の液冷媒の吹き上げによって冷却性能が低下することを抑制できる。
【００１４】
なお、この欄および特許請求の範囲で記載した各手段の括弧内の符号は、後述する実施形態に記載の具体的手段との対応関係を示すものである。
【図面の簡単な説明】
【００１５】
【図１】第１実施形態における車両用サーモサイフォン式冷却装置の全体構成図である。
【図２】電池温度と電池入出力との相関関係を示すグラフである。
【図３】第１実施形態における車両用サーモサイフォン式冷却装置であって、貯液部の貯液量が多い状態を示す模式図である。
【図４】第１実施形態における車両用サーモサイフォン式冷却装置であって、貯液部の貯液量が少ない状態を示す模式図である。
【図５】第１実施形態における車両用サーモサイフォン式冷却装置の制御装置が実行する制御処理を示すフローチャートである。
【図６】第１実施形態における車両用サーモサイフォン式冷却装置の傾斜状態における作動状態を示す模式図である。
【図７】第２実施形態における車両用サーモサイフォン式冷却装置の制御装置が実行する制御処理を示すフローチャートである。
【図８】第３実施形態における車両用サーモサイフォン式冷却装置の制御装置が実行する制御処理を示すフローチャートである。
【図９】第４実施形態における車両用サーモサイフォン式冷却装置であって、貯液部の貯液量が多い状態を示す模式図である。
【図１０】第４実施形態における車両用サーモサイフォン式冷却装置であって、貯液部の貯液量が少ない状態を示す模式図である。
【図１１】第５実施形態における車両用サーモサイフォン式冷却装置であって、貯液部の貯液量が多い状態を示す模式図である。
【図１２】第５実施形態における車両用サーモサイフォン式冷却装置であって、貯液部の貯液量が少ない状態を示す模式図である。
【図１３】第６実施形態における車両用サーモサイフォン式冷却装置の水平状態における作動状態を示す模式図である。
【図１４】第６実施形態における車両用サーモサイフォン式冷却装置の貯液部および凝縮器を示す模式図である。
【図１５】第６実施形態における車両用サーモサイフォン式冷却装置の傾斜状態における作動状態を示す模式図である。
【図１６】第７実施形態における車両用サーモサイフォン式冷却装置の全体構成図である。
【図１７】第８実施形態における車両用サーモサイフォン式冷却装置の全体構成図である。
【図１８】第９実施形態における車両用サーモサイフォン式冷却装置の全体構成図である。
【図１９】第１０実施形態における車両用サーモサイフォン式冷却装置の制御装置が実行する制御処理を示すフローチャートである。
【図２０】第１０実施形態における車両用サーモサイフォン式冷却装置の作動状態を示す模式図である。
【図２１】第１１実施形態の第１実施例における車両用サーモサイフォン式冷却装置を示す模式図である。
【図２２】第１１実施形態の第２実施例における車両用サーモサイフォン式冷却装置を示す模式図である。
【図２３】第１１実施形態の第３実施例における車両用サーモサイフォン式冷却装置を示す模式図である。
【図２４】第１１実施形態の第４実施例における車両用サーモサイフォン式冷却装置を示す模式図である。
【発明を実施するための形態】
【００１６】
以下、実施形態について図に基づいて説明する。以下の各実施形態相互において、互いに同一もしくは均等である部分には、図中、同一符号を付してある。
【００１７】
（第１実施形態）
本実施形態の車両用サーモサイフォン式冷却装置１０は、車両に搭載される電池を冷却する車両用電池冷却装置である。図１中、上下前後左右の矢印は、車両の上下前後左右方向を示している。
【００１８】
組電池１１は、電気エネルギーを蓄える二次電池である。組電池１１は、インバータなどを介して走行用モータに電気を供給する。組電池１１は、回生電力を蓄える蓄電池である。組電池１１は、走行中など充放電使用時に自己発熱する。組電池１１は、車両用サーモサイフォン式冷却装置１０の冷却対象物である。
【００１９】
組電池１１の充電方式は、プラグインタイプである。プラグインタイプは、充電器の充電コネクタを、車両に設けられた充電コネクタ差込口に差し込んで充電する方式である。一般的な車両では、充電コネクタ差込口として、普通充電用ポートと急速充電用ポートのの２つのポートが設けられている。普通充電用ポートは、普通充電用の充電コネクタが差し込まれる充電用ポートである。急速充電用ポートは、急速充電用の充電コネクタが差し込まれる充電用ポートである。急速充電は、普通充電よりも大電力で急速に行われる充電のことである。
【００２０】
組電池１１の充電方式は、非接触充電タイプや電線接触タイプであってもよい。非接触充電タイプは、例えば、電磁誘導方式や磁界共鳴方式がある。
【００２１】
組電池１１は、複数の電池セル１１１を有している。図２に示すように、電池セル１１１が高温になると劣化あるいは破損を招く。そのため、電池に許容される出力および入力を抑えて発熱量を抑える必要がある。そのため、電池セル１１１を冷却して一定温度以下に維持する必要がある。
【００２２】
特に加速時や登坂時（換言すれば走行負荷が高い時）には電池セル１１１の放電量が多くなって発熱量が増加するので、電池セル１１１を高い冷却能力で冷却する必要がある。
【００２３】
電池セル１１１の充電中も電池セル１１１の放電量が多くなって発熱量が増加するので、電池セル１１１を高い冷却能力で冷却する必要がある。特に、急速充電中の電池セル１１１の発熱量は、他の場合と比較して突出して大きくなる。
【００２４】
電池セル１１１の温度は、走行中や充電中だけでなく夏期の駐車放置中などにも上昇する。電池セル１１１を高温状態で放置すると寿命が大幅に低下するため、駐車放置中も冷却するなど電池温度を低温に維持する必要がある。
【００２５】
図１に示すように、車両用サーモサイフォン式冷却装置１０は、冷媒回路１２を備える。冷媒回路１２は、複数個の蒸発器１３、凝縮器１４、ガス配管１５および液配管１６を有している。
【００２６】
冷媒回路１２内には、冷媒が封入充填されている。冷媒回路１２は、作動流体としての冷媒が循環する熱媒体回路である。冷媒は、ＨＦＯ−１２３４ｙｆやＨＦＣ−１３４ａなどのフロン系冷媒である。
【００２７】
冷媒は、冷媒回路１２に所定の圧力で封入されている。冷媒は、常温時には冷媒回路１２内において大部分は液状態、一部はガス状態になっている。
【００２８】
冷媒回路１２は、冷媒の蒸発および凝縮により熱移動を行うヒートパイプである。冷媒回路１２は、ガス状の冷媒が流れる流路と、液状の冷媒が流れる流路とが分離されたループ型のサーモサイフォンである。
【００２９】
複数個の蒸発器１３は、組電池１１から吸熱して冷媒を蒸発させる蒸発部である。蒸発器１３は、冷媒を熱交換させる熱交換器である。蒸発器１３は、複数の電池セル１１１を、冷媒の蒸発により冷却する。蒸発器１３は、電池セル１１１と熱伝導可能になっている。蒸発器１３は、電池セル１１１の熱を冷媒に吸熱させることによって電池セル１１１を冷却するとともに冷媒を蒸発させる。
【００３０】
蒸発器１３は、車両上下方向に延びる薄形矩形状の外形を有している。蒸発器１３は、熱交換部１３１、液通路部１３２およびガス通路部１３３を有している。熱交換部１３１、液通路部１３２およびガス通路部１３３は、上方から下方に向かって、ガス通路部１３３、熱交換部１３１、液通路部１３２の順番で配置されている。
【００３１】
熱交換部１３１の外面は平面状になっている。電池セル１１１は、直方体状の外形を有している。電池セル１１１の１つの面は、熱交換部１３１の外面に、電気絶縁熱伝導シート１７を介して熱伝導可能に当接している。各電池セル１１１は、その端子１１２が熱交換部１３１とは反対側を向くように配置されている。
【００３２】
電気絶縁熱伝導シート１７は、電気絶縁性と熱伝導性とを有する薄膜状の部材である。熱交換部１３１と電池セル１１１との間に、板状の熱伝導部材が介在していてもよい。
【００３３】
熱交換部１３１は、内部の冷媒流路を流れる液冷媒に電池セル１１１の熱を吸熱させて液冷媒を沸騰蒸発させる。
【００３４】
熱交換部１３１の内部には、図示しない多数の冷媒流路が形成されている。熱交換部１３１の多数の冷媒流路は、互いに並列に上下方向に延びている。
【００３５】
液通路部１３２には、液配管１６が接続されている。液通路部１３２は、液配管１６を流れた液冷媒を熱交換部１３１の多数の冷媒流路に分配する。
【００３６】
ガス通路部１３３には、ガス配管１５が接続されている。ガス通路部１３３は、熱交換部１３１の多数の冷媒流路にて沸騰蒸発したガス冷媒を集合させてガス配管１５に流出させる。
【００３７】
凝縮器１４は、蒸発器１３で蒸発した冷媒を、冷却水回路２０の冷却水と熱交換させて冷却凝縮させる熱交換器である。凝縮器１４は、車両のエンジンルームに配置されている。凝縮器１４は、蒸発器１３よりも車両の上方側に配置されている。
【００３８】
冷却水は、熱媒体としての流体である。冷却水は、例えば、少なくともエチレングリコールまたはジメチルポリシロキサンを含む液体や、不凍液体、クーラント等である。
【００３９】
ガス配管１５および液配管１６は、蒸発器１３と凝縮器１４とを接続する冷媒配管である。ガス配管１５は、蒸発器１３で蒸発したガス冷媒が流れる冷媒配管である。ガス配管１５は、ガス冷媒を凝縮器１４に導くガス冷媒流路を形成している。
【００４０】
液配管１６は、凝縮器１４で凝縮した液冷媒が流れる冷媒配管である。液配管１６は、液冷媒を蒸発器１３に導く液冷媒流路を形成している。
【００４１】
車両用サーモサイフォン式冷却装置１０は、凝縮器１４が車両前方側に位置し、蒸発器１３が車両後方側に位置するように車両に搭載されている。ガス配管１５および液配管１６は、車両前後方向に延びている。
【００４２】
複数個の蒸発器１３は、車両前後方向に並んで配置されている。複数個の蒸発器１３は、車両に対して、互いに同じ高さに配置されている。複数個の蒸発器１３は、車両前後方向に延びる１組のガス配管１５および液配管１６から分岐するように配置されている。
【００４３】
図１の例では、蒸発器１３が３個配置されている。３個の蒸発器１３は、ガス配管１５および液配管１６に対して車両左方側に配置されている。複数個の蒸発器１３は、互いの相対位置が固定されている。
【００４４】
蒸発器１３の個数は３個に限定されるものではなく、１個または２個であってもよいし、３個よりも多い複数個であってもよい。
【００４５】
車両用サーモサイフォン式冷却装置１０は、貯液部４０、ヒータ４１、液連通配管４２、ガス連通配管４３、貯液弁４４および逆止弁４５を備える。
【００４６】
貯液部４０は、車両用サーモサイフォン式冷却装置１０の冷媒を液相状態で貯留する貯留部である。貯液部４０は、車両に対して、蒸発器１３とほぼ同じ高さに配置されている。貯液部４０は、冷媒入口４０１と冷媒出口４０２とを有している。冷媒入口４０１および冷媒出口４０２は、冷媒が流通する冷媒流通口である。
【００４７】
ヒータ４１は、貯液部４０内の液冷媒を加熱して蒸発させる。ヒータ４１は、電力を供給されることによって発熱する電気ヒータである。
【００４８】
液連通配管４２は、貯液部４０の冷媒入口４０１と液配管１６とを接続している。液連通配管４２は、冷媒回路１２の液冷媒を貯液部４０に流入させる冷媒流路を形成している。
【００４９】
ガス連通配管４３は、貯液部４０のガス冷媒入口４０１とガス配管１５とを接続している。ガス連通配管４３は、貯液部４０のガス冷媒を冷媒回路１２に流入させる冷媒流路を形成している。
【００５０】
貯液弁４４は、液連通配管４２を開閉する電磁弁である。逆止弁４５は、ガス連通配管４３において、貯液部４０側からガス配管１５側への冷媒の流れを許容し、ガス配管１５側から貯液部４０側への冷媒の流れを禁止する。
【００５１】
貯液部４０は、複数個の蒸発器１３のうち凝縮器１４から最も離れた蒸発器１３の近傍に配置されている。
【００５２】
冷却水回路２０は、冷却水ポンプ２１およびラジエータ２２を有している。冷却水ポンプ２１は、冷却水回路２０の冷却水を吸入して吐出するポンプである。ラジエータ２２は、冷却水回路２０を循環する冷却水と外気とを熱交換させて冷却水を冷却する熱交換器である。外気送風機２３は、ラジエータ２２に外気を送風する送風機である。
【００５３】
ヒータ４１、貯液弁４４、冷却水ポンプ２１および外気送風機２３の作動は、制御装置３０によって制御される。制御装置３０は、ＣＰＵ、ＲＯＭおよびＲＡＭ等を含む周知のマイクロコンピュータとその周辺回路から構成されている。
【００５４】
制御装置３０は、そのＲＯＭ内に記憶された制御プログラムに基づいて各種演算、処理を行い、その出力側に接続された冷却水ポンプ２１および外気送風機２３等の作動を制御する制御部である。
【００５５】
制御装置３０、ヒータ４１および貯液弁４４は、貯液部４０の冷媒の貯留量を調整する貯留量調整部である。
【００５６】
制御装置３０の入力側には、電池セル温度センサ３１、液面センサ３２、ジャイロセンサ３３等のセンサ群が接続されている。制御装置３０には、センサ群の検出信号が入力される。
【００５７】
電池セル温度センサ３１は、複数の電池セル１１１のうち、少なくとも２つ以上の電池セル１１１の温度を検出する温度検出部である。液面センサ３２は、貯液部４０内の液冷媒の液面の高さを検出する。
【００５８】
ジャイロセンサ３３は、車両の傾斜角度（換言すれば、車両用サーモサイフォン式冷却装置１０の傾斜角度）を検出するジャイロセンサ３３は、車両の傾斜量を検出する傾斜量検出部である。
【００５９】
図３は、車両が水平状態、換言すれば車両用サーモサイフォン式冷却装置１０が水平状態にあり、かつ貯液弁４４が開いている状態を示している。図３では、車両用サーモサイフォン式冷却装置１０のうち液冷媒が存在する部分を点ハッチングで図示している。
【００６０】
図３の状態において液冷媒の液面が蒸発器１３および貯液部４０のほぼ中間の高さに位置するように、車両用サーモサイフォン式冷却装置１０への液冷媒の封入量が設定されている。
【００６１】
図４は、車両が水平状態、換言すれば車両用サーモサイフォン式冷却装置１０が水平状態にあり、かつ貯液弁４４が閉じてヒータ４１が作動した状態を示している。図４では、車両用サーモサイフォン式冷却装置１０のうち液冷媒が存在する部分を点ハッチングで図示している。
【００６２】
図４の状態では、ヒータ４１が作動して貯液部４０内の冷媒が加熱されて蒸発することによって、図３の状態と比較して貯液部４０内の液冷媒の液面が低下し、蒸発器１３内の液冷媒の液面が上昇する。
【００６３】
次に、上記構成における作動を説明する。冷却水ポンプ２１が作動して凝縮器１４に冷却水を供給している状態において、組電池１１の温度が冷媒の沸点よりも高ければ、車両用サーモサイフォン式冷却装置１０の冷媒回路１２では、サーモサイフォン現象（換言すれば冷媒の相変化）によって冷媒が循環する。
【００６４】
具体的には、蒸発器１３内において、液冷媒は組電池１１からの熱を吸熱して蒸発してガス冷媒となる。蒸発器１３内で蒸発したガス冷媒はガス配管１５に流入し、ガス配管１５を上昇して凝縮器１４に流入する。
【００６５】
凝縮器１４では、ガス配管１５から流入したガス冷媒が冷却水回路２０の冷却水に放熱して凝縮し、液冷媒となる。凝縮器１４で凝縮した液冷媒は、重力により液配管１６を流下して蒸発器１３に流入する。
【００６６】
このように冷媒回路１２を冷媒が循環することによって、蒸発器１３で組電池１１を冷却できる。動力を極力利用することなく冷媒回路１２に冷媒を循環させることができるので、省動力化を図ることができ、駐車放置時にも組電池１１を冷却できる。
【００６７】
このとき、制御装置３０は、図５のフローチャートに示す制御処理を実行する。ステップＳ１００では、組電池１１の急速充電が開始される可能性が高い（換言すれば、組電池１１が急速充電されると推定される）、または組電池１１が急速充電中であるか否かを判定する。
【００６８】
以下の（１）〜（４）の条件の少なくとも１つが成立している場合、制御装置３０は、組電池１１の急速充電が開始される可能性が高いと判定する。
【００６９】
（１）車両の急速充電コネクタ差込口に、急速充電器側のケーブルが差し込まれたとき、または、車両の急速充電コネクタ差込口のカバーが開けられたとき。
【００７０】
（２）カーナビゲーション装置の車両位置情報に基づいて、急速充電器の充電ケーブルの届く範囲に停車されたと判断できるとき。
【００７１】
（３）カーナビゲーション装置の情報により急速充電器（すなわち急速充電可能な施設）の設置場所に到着したと判断されたとき。
【００７２】
（４）カーナビゲーション装置で目的地が急速充電器の設置場所に設定されている場合において、その目的地に到着したと判断されたとき。
【００７３】
以下の（５）〜（７）の条件の少なくとも１つが成立している場合、制御装置３０は、組電池１１が急速充電中であると判定する。
【００７４】
（５）車両の急速充電コネクタ差込口に、急速充電器側のケーブルが差し込まれているとき。
【００７５】
（６）車両から要求される充電電力あるいは充電電流が閾値以上であるとき。
【００７６】
（７）充電中の電池の発熱量が閾値よりも大きいとき。
【００７７】
ステップＳ１００にて組電池１１の急速充電が開始される可能性が高い、または組電池１１が急速充電中であると判定した場合、ステップＳ１１０へ進み、貯液部４０の貯液量を所定量Ｖｐ以上に増加させる。所定量Ｖｐは、制御装置３０に予め記憶されている。
【００７８】
ステップＳ１１０では、具体的には、貯液部４０の貯液量が所定量Ｖｐ未満である場合、貯液弁４４を開く。そして、貯液部４０の貯液量が上限量Ｖｍａｘ以上になったら貯液弁４４を閉じる。
【００７９】
貯液部４０の貯液量が所定量Ｖｐ未満であるか否か、貯液部４０の貯液量が上限量Ｖｍａｘ以上であるか否かは、液面センサ３２の検出信号に基づいて判定する。
【００８０】
貯液弁４４を開くことにより、冷媒回路１２を循環する液冷媒の一部が液連通配管４２を通じて貯液部４０に流入するので、図３に示すように、貯液部４０内の液冷媒の液面が上昇する。したがって、冷媒回路１２を循環する冷媒の量が減少する。
【００８１】
冷媒回路１２を循環する冷媒の量が減少することによって蒸発器１３内の液冷媒の量が減少するので、急速充電によって組電池１１の発熱量が著しく大きくなって液冷媒の蒸発が著しく激しくなっても、液冷媒の吹き上がりを抑制できる。
【００８２】
ステップＳ１００にて急速充電が開始される可能性が高くなく、かつ急速充電中でないと判定した場合、急速充電が終了したと判断してステップＳ１２０へ進み、貯液部４０の貯液量を所定量Ｖｐ未満に減少させる。具体的には、貯液部４０の貯液量が所定量Ｖｐ以上である場合、ヒータ４１を作動させる。そして、貯液部４０の貯液量が下限量Ｖｍｉｎ未満になったらヒータ４１を停止させる。
【００８３】
貯液部４０の貯液量が所定量Ｖｐ以上であるか否か、貯液部４０の貯液量が下限量Ｖｍｉｎ未満であるか否かは、液面センサ３２の検出信号に基づいて判定する。
【００８４】
ヒータ４１を作動させることにより、貯液部４０内の液冷媒が加熱されて蒸発してガス冷媒となる。貯液部４０内のガス冷媒は、ガス連通配管４３を通じてガス配管１５に流入し、冷媒回路１２を循環するので、図４に示すように、貯液部４０内の液冷媒の液面が低下する。貯液部４０内の液冷媒の液面が低下することによって、冷媒回路１２を循環する冷媒の量が増加する。
【００８５】
冷媒回路１２を循環する冷媒の量が増加することによって蒸発器１３内の液冷媒の量が増加するので、図６に示すように車両が傾斜しても蒸発器１３内に液冷媒が存在しない部位が生じないようにすることができる。図６に示す傾斜角度θは、車両の前後方向における傾斜角度である。
【００８６】
本実施形態では、制御装置３０および貯液弁４４は、組電池１１が急速充電されている場合、または組電池１１が急速充電されると推定される場合、貯留部４０の冷媒の貯留量を所定量Ｖｐ以上にする。
【００８７】
これによると、組電池１１が急速充電されて発熱量が著しく多くなったときに蒸発器１３内の液冷媒の量を少なくすることができるので、蒸発器１３内の液冷媒の吹き上げを抑制できる。そのため、充電時に冷却性能を極力確保できる。
【００８８】
本実施形態では、制御装置３０およびヒータ４１は、組電池１１の充電が終了した場合、貯留部４０の冷媒の貯留量を所定量Ｖｐよりも減少させる。
【００８９】
これにより、蒸発器１３内の液冷媒の吹き上げのおそれが少ない場合に蒸発器１３内の液冷媒の量が不足することを抑制できる。
【００９０】
本実施形態では、制御装置３０およびヒータ４１は、貯液部４０内の冷媒の液相から気相への相変化を伴う伝熱を行うことによって、貯液部４０の冷媒の貯留量を減少させる。これにより、組電池１１の充電が完了したときに貯液部４０の液冷媒の貯留量を確実に減少させることができる。
【００９１】
本実施形態では、制御装置３０および貯液弁４４は、貯液部４０の冷媒入口４０１の開口面積を調整することによって貯液部４０の冷媒の貯留量を増加させる。これにより、組電池１１が充電されて発熱量が多くなったときに貯液部４０の冷媒の貯留量を確実に増加させることができる。
【００９２】
本実施形態では、複数個の蒸発器１３の互いの相対位置が固定されているので、全ての蒸発器１３に対して液冷媒の量を適切に調整できる。
【００９３】
（第２実施形態）
上記第１実施形態では、急速充電が開始される可能性が高い、または急速充電中であると判定した場合、貯液部４０の貯液量を所定量Ｖｐ以上に増加させるが、本実施形態では、普通充電が開始される可能性が高い、または普通充電中であると判定した場合であっても、図６に示す傾斜角度θの絶対値｜θ｜が閾値α以上である場合、貯液部４０の貯液量を所定量Ｖｐ以上に増加させない。
【００９４】
制御装置３０は、図７のフローチャートに示す制御処理を実行する。ステップＳ２００では、組電池１１の普通充電が開始される可能性が高い（換言すれば、組電池１１が普通充電されると推定される）、または組電池１１が普通充電中であるか否かを判定する。
【００９５】
この場合、以下の（１）〜（６）の条件の少なくとも１つが成立している場合、制御装置３０は、普通充電が開始される可能性が高いと判定する。
【００９６】
（１）車両の普通充電コネクタ差込口に、普通充電器側のケーブルが差し込まれたとき、または、車両の普通充電コネクタ差込口のカバーが開けられたとき。
【００９７】
（２）カーナビゲーション装置の車両位置情報に基づいて、普通充電器の充電ケーブルの届く範囲に停車されたと判断できるとき。
【００９８】
（３）カーナビゲーション装置の情報により普通充電器（すなわち、普通充電可能な施設）の設置場所に到着したと判断されたとき。
【００９９】
（４）カーナビゲーション装置で目的地が普通充電器の設置場所に設定されている場合において、その目的地に到着したと判断されたとき。
【０１００】
（５）普通充電の開始時間をタイマーで設定している時に、普通充電の開始時間に近づいたとき。
【０１０１】
（６）組電池１１の蓄電残量ＳＯＣが低い状態で停車したとき。
【０１０２】
以下の（７）の条件が成立している場合、制御装置３０は、組電池１１が普通充電中であると判定する。
【０１０３】
（７）車両の普通充電コネクタ差込口に、普通充電器側のケーブルが差し込まれているとき。
【０１０４】
ステップＳ２００にて組電池１１の普通充電が開始される可能性が高い、または組電池１１が普通充電中であると判定した場合、ステップＳ２１０へ進み、車両の傾斜角度θの絶対値｜θ｜が閾値α未満であるか否かを、ジャイロセンサ３３が検出した車両の傾斜角度に基づいて判定する。
【０１０５】
ステップＳ２１０にて車両の傾斜角度θの絶対値｜θ｜が閾値α未満であると判定した場合、ステップＳ２２０へ進み、貯液部４０の貯液量を所定量Ｖｐ以上に増加させる。具体的には、貯液部４０の貯液量が所定量Ｖｐ未満である場合、貯液弁４４を開く。そして、貯液部４０の貯液量が上限量Ｖｍａｘ以上になったら貯液弁４４を閉じる。
【０１０６】
これにより、冷媒回路１２を循環する液冷媒の一部が液連通配管４２を通じて貯液部４０に流入するので、図３に示すように、貯液部４０内の液冷媒の液面が上昇する。したがって、冷媒回路１２を循環する冷媒の量が減少する。
【０１０７】
冷媒回路１２を循環する冷媒の量が減少することによって蒸発器１３内の液冷媒の量が減少するので、普通充電によって組電池１１の発熱量が大きくなって液冷媒の蒸発が激しくなっても、液冷媒の吹き上がりを抑制できる。
【０１０８】
ステップＳ２００にて組電池１１の普通充電が開始される可能性が高くなく、かつ組電池１１が普通充電中でないと判定した場合、普通充電が終了したと判断してステップＳ２３０へ進み、貯液部４０の貯液量を所定量Ｖｐ未満に減少させる。具体的には、貯液部４０の貯液量が所定量Ｖｐ以上である場合、ヒータ４１を作動させる。そして、貯液部４０の貯液量が下限量Ｖｍｉｎ未満になったらヒータ４１を停止させる。
【０１０９】
これにより、貯液部４０内の液冷媒が加熱されて蒸発してガス冷媒となる。貯液部４０内のガス冷媒は、ガス連通配管４３を通じてガス配管１５に流入し、冷媒回路１２を循環するので、図４に示すように、貯液部４０内の液冷媒の液面が低下する。貯液部４０内の液冷媒の液面が低下することによって、冷媒回路１２を循環する冷媒の量が増加する。
【０１１０】
冷媒回路１２を循環する冷媒の量が増加することによって蒸発器１３内の液冷媒の量が増加するので、図６に示すように車両が傾斜しても蒸発器１３内に液冷媒が存在しない部位が生じないようにすることができる。
【０１１１】
ステップＳ２１０にて車両の傾斜角度θの絶対値｜θ｜が閾値α以上であると判定した場合も、ステップＳ２３０へ進み、貯液部４０の貯液量を所定量Ｖｐ未満に減少させる。
【０１１２】
これにより、普通充電によって組電池１１の発熱量が大きくなって液冷媒の蒸発が激しくなった場合であっても、車両が傾斜することによって蒸発器１３内に液冷媒が存在しない部位が生じることを抑制できる。
【０１１３】
本実施形態では、制御装置３０および貯液弁４４は、組電池１１が充電されている場合、または組電池１１が充電されると推定され、かつ車両の傾斜角度θが所定角度よりも小さい場合、貯留部４０の冷媒の貯留量を所定量Ｖｐ以上にする。
【０１１４】
これにより、車両の傾斜が少なくて蒸発器１３内の液冷媒に偏りが小さくなっているときに組電池１１が充電されて発熱量が多くなった場合、蒸発器１３内の液冷媒の量を少なくするので、組電池１１が充電されて発熱量が多くなったときに蒸発器１３内の液冷媒の吹き上げを抑制できるとともに、蒸発器１３内に液冷媒が存在しない部位が生じることも抑制できる。
【０１１５】
（第３実施形態）
上記第２実施形態では、急速充電が開始される可能性が高い、または急速充電中であり、かつ傾斜角度θの絶対値｜θ｜が閾値α未満であると判定した場合、貯液部４０の貯液量を所定量Ｖｐ以上に増加させるが、本実施形態では、車両が停車中であり、かつ傾斜角度θの絶対値｜θ｜が閾値α未満であると判定した場合、貯液部４０の貯液量を所定量Ｖｐ以上に増加させる。
【０１１６】
制御装置３０は、図８のフローチャートに示す制御処理を実行する。ステップＳ３００では、車両が停車中であるか否かを判定する。車両が停車中であるか否かは、例えば、車両の速度、パーキングブレーキの操作状態、カーナビゲーションの位置情報、および電池の発電量の少なくとも１つに基づいて判定可能である。
【０１１７】
ステップＳ３００にて車両が停車中あると判定した場合、ステップＳ３１０へ進み、車両の傾斜角度θの絶対値｜θ｜が閾値α未満であるか否かを、ジャイロセンサ３３が検出した車両の傾斜角度に基づいて判定する。
【０１１８】
ステップＳ３１０にて車両の傾斜角度θの絶対値｜θ｜が閾値α未満であると判定した場合、ステップＳ２２０へ進み、貯液部４０の貯液量を所定量Ｖｐ以上に増加させる。具体的には、貯液部４０の貯液量が所定量Ｖｐ未満である場合、貯液弁４４を開く。そして、貯液部４０の貯液量が上限量Ｖｍａｘ以上になったら貯液弁４４を閉じる。
【０１１９】
これにより、冷媒回路１２を循環する液冷媒の一部が液連通配管４２を通じて貯液部４０に流入するので、図３に示すように、貯液部４０内の液冷媒の液面が上昇する。したがって、冷媒回路１２を循環する冷媒の量が減少する。
【０１２０】
冷媒回路１２を循環する冷媒の量が減少することによって蒸発器１３内の液冷媒の量が減少するので、停車中に充電が開始されて組電池１１の発熱量が大きくなって液冷媒の蒸発が激しくなっても、液冷媒の吹き上がりを抑制できる。
【０１２１】
ステップＳ３００にて車両が停車中でないと判定した場合、ステップＳ３３０へ進み、貯液部４０の貯液量を所定量Ｖｐ未満に減少させる。具体的には、貯液部４０の貯液量が所定量Ｖｐ以上である場合、ヒータ４１を作動させる。そして、貯液部４０の貯液量が下限量Ｖｍｉｎ未満になったら、ヒータ４１を停止させる。
【０１２２】
これにより、貯液部４０内の液冷媒が加熱されて蒸発してガス冷媒となる。貯液部４０内のガス冷媒は、ガス連通配管４３を通じてガス配管１５に流入し、冷媒回路１２を循環するので、図４に示すように、貯液部４０内の液冷媒の液面が低下する。貯液部４０内の液冷媒の液面が低下することによって、冷媒回路１２を循環する冷媒の量が増加する。
【０１２３】
冷媒回路１２を循環する冷媒の量が増加することによって蒸発器１３内の液冷媒の量が増加するので、車両が傾斜しても蒸発器１３内に液冷媒が存在しない部位が生じないようにすることができる。
【０１２４】
ステップＳ３１０にて車両の傾斜角度θの絶対値｜θ｜が閾値α以上であると判定した場合も、ステップＳ３３０へ進み、貯液部４０の貯液量を所定量Ｖｐ未満に減少させる。
【０１２５】
これにより、車両が傾斜することによって蒸発器１３内に液冷媒が存在しない部位が生じることを抑制できる。
【０１２６】
本実施形態では、制御装置３０および貯液弁４４は、車両が停車中かつ車両の傾斜角度θが所定角度αよりも小さい場合、貯留部４０の冷媒の貯留量を所定量Ｖｐ以上にする。
【０１２７】
これにより、組電池１１が充電される可能性があり且つ車両の傾斜が小さいときに蒸発器１３内の液冷媒の量を少なくすることができるので、組電池１１が充電されて発熱量が多くなったときに蒸発器１３内の液冷媒の吹き上げを抑制できる。
【０１２８】
本実施形態では、制御装置３０およびヒータ４１は、車両が停車を終了した場合、貯留部４０の冷媒の貯留量を所定量Ｖｐよりも減少させる。
【０１２９】
これにより、組電池１１に充電される可能性がないときに蒸発器１３内の液冷媒の量を多くすることができるので、蒸発器１３内の液冷媒の吹き上げのおそれが少ない場合に蒸発器１３内の液冷媒の量が不足することを抑制できる。
【０１３０】
（第４実施形態）
上記第１実施形態では、ガス連通配管４３に逆止弁４５が配置されているが、本実施形態では、図９に示すように、ガス連通配管４３に開閉弁４６が配置されている。
【０１３１】
開閉弁４６は、ガス連通配管４３を開閉する電磁弁である。開閉弁４６の作動は、制御装置３０によって制御される。開閉弁４６は貯留量調整部である。
【０１３２】
制御装置３０が、貯液弁４４を閉じた状態でヒータ４１を作動させることにより、貯液部４０内の液冷媒が加熱されて蒸発してガス冷媒となる。このとき、開閉弁４６を開くことにより、貯液部４０内のガス冷媒は、ガス連通配管４３を通じてガス配管１５に流入し、冷媒回路１２を循環するので、図１０に示すように、貯液部４０内の液冷媒の液面が低下する。図９および図１０では、車両用サーモサイフォン式冷却装置１０のうち液冷媒が存在する部分を点ハッチングで図示している。貯液部４０内の液冷媒の液面が低下することによって、冷媒回路１２を循環する冷媒の量が増加する。
【０１３３】
制御装置３０が貯液弁４４を開くことにより、冷媒回路１２を循環する液冷媒の一部が液連通配管４２を通じて貯液部４０に流入するので、図９に示すように、貯液部４０内の液冷媒の液面が上昇する。したがって、冷媒回路１２を循環する冷媒の量が減少する。
【０１３４】
本実施形態においても、上記第１実施形態と同様の作用効果を奏することができる。
【０１３５】
ガス配管１５からガス連通配管４３への冷媒の逆流が発生する可能性がある場合、開閉弁４６を閉じる。ガス配管１５からガス連通配管４３への冷媒の逆流が発生する可能性がない場合、開閉弁４６を開ける。
【０１３６】
開閉弁４６を閉じている場合であっても、貯液部４０の内圧が上限値よりも上昇した場合、開閉弁４６を開ける。これにより、冷媒の温度上昇により貯液部４０の内圧が上昇しても、貯液部４０の破損を抑制できる。
【０１３７】
開閉弁４６にリリーフ弁が付いていてもよい。リリーフ弁は、貯液部４０の内圧が所定圧力よりも上昇すると機械的機構により開弁する弁である。これによると、貯液部４０の内圧が所定圧力よりも上昇したときに貯液部４０内の液冷媒を逃がして貯留部４０の内圧を低下させることができる。そのため、冷媒の温度が過度に上昇したときに貯留部４０の内圧が過度に上昇して貯留部４０が破損することを抑制できる。
【０１３８】
（第５実施形態）
上記実施形態では、貯液部４０は冷媒入口４０１と冷媒出口４０２とを有しているが、本実施形態では、図１１に示すように、貯液部４０は冷媒出入口４０３を有している。
【０１３９】
貯液部４０は、複数個の蒸発器１３のうち凝縮器１４に最も近い蒸発器１３の近傍に配置されている。貯液部４０の冷媒出入口４０３は、貯液部４０の上部に設けられている。貯液部４０の冷媒出入口４０３は、連通配管５１によってガス配管１５に接続されている。
【０１４０】
連通配管５１には開閉弁５２が配置されている。開閉弁５２は、連通配管５１を開閉する電磁弁である。開閉弁５２は貯留量調整部である。開閉弁５２の作動は、制御装置３０によって制御される。
【０１４１】
制御装置３０がヒータ４１を作動させて開閉弁５２を開けることにより、貯液部４０内の液冷媒が加熱されて蒸発し、連通配管５１を通じてガス配管１５に流入し、冷媒回路１２を循環するので、図１２に示すように、貯液部４０内の液冷媒の液面が低下する。図１１および図１２では、車両用サーモサイフォン式冷却装置１０のうち液冷媒が存在する部分を点ハッチングで図示している。
【０１４２】
貯液部４０内の液冷媒の液面が低下することによって、冷媒回路１２を循環する冷媒の量が増加する。
【０１４３】
蒸発器１３における液冷媒の液面が高いときに制御装置３０がヒータ４１を作動させることなく開閉弁５２を開けることにより、蒸発器１３からガス配管１５に吹き上がった液冷媒が連通配管５１を通じて貯液部４０に流入する。そのため、図１１に示すように、貯液部４０内の液冷媒の液面が上昇する。したがって、冷媒回路１２を循環する冷媒の量が減少する。
【０１４４】
本実施形態においても、上記実施形態と同様の作用効果を奏することができる。
【０１４５】
連通配管５１とガス配管１５との接続部に気液分離器が配置されていれば貯液部４０に液冷媒を効率良く貯めることができる。気液分離器で分離された液冷媒を貯液部４０に流入させ、気液分離器で分離されたガス冷媒を凝縮器１４に流入させることができるからである。
【０１４６】
（第６実施形態）
上記実施形態では、貯液部４０は冷媒回路１２から独立した機器になっているが、本実施形態では、図１３〜図１４に示すように、貯液部４０は凝縮器１４と一体化されている。
【０１４７】
貯液部４０は、冷媒入口４０１、ガス冷媒出口４０５および液冷媒出口４０６を有している。冷媒入口４０１およびガス冷媒出口４０５は貯液部４０の上部に設けられている。液冷媒出口４０６は貯液部４０の下部に設けられている。
【０１４８】
冷媒入口４０１はガス配管１５に接続されている。ガス冷媒出口４０５は凝縮器１４のガス冷媒入口１４１に接続されている。凝縮器１４のガス冷媒入口１４１は凝縮器１４の上部に設けられている。液冷媒出口４０６は凝縮器１４の液冷媒入口１４２に接続されている。凝縮器１４の液冷媒出口１４３は凝縮器１４の下部に設けられている。
【０１４９】
貯液部４０の液冷媒出口４０６には流出弁５５が配置されている。流出弁５５は、貯液部４０の液冷媒出口４０６を開閉する電磁弁である。流出弁５５は貯留量調整部である。流出弁５５の作動は、制御装置３０によって制御される。
【０１５０】
制御装置３０が流出弁５５を開けることにより、貯液部４０内の液冷媒が液冷媒出口４０６を通じて液冷媒入口１４２から凝縮器１４に流入するので、図１５に示すように、貯液部４０内の液冷媒の液面が低下する。図１３および図１５では、車両用サーモサイフォン式冷却装置１０のうち液冷媒が存在する部分を点ハッチングで図示している。
【０１５１】
貯液部４０内の液冷媒の液面が低下することによって、冷媒回路１２を循環する冷媒の量が増加する。
【０１５２】
蒸発器１３における液冷媒の液面が高くなっていると、蒸発器１３からガス配管１５に吹き上がった液冷媒が冷媒入口４０１を通じて貯液部４０に流入して貯えられるので、図１３に示すように、貯液部４０内の液冷媒の液面が上昇する。したがって、冷媒回路１２を循環する冷媒の量が減少する。
【０１５３】
ガス配管１５から冷媒入口４０１を通じて貯液部４０に流入したガス冷媒は、ガス冷媒出口４０５からガス冷媒入口１４１を通じて凝縮器１４に流入する。
【０１５４】
本実施形態では、貯液部４０は、蒸発器１３から流出した冷媒が流入する冷媒入口４０１と、凝縮器１４側へ気相の冷媒を流出させるガス冷媒出口４０５と、凝縮器１４側へ液相の冷媒を流出させる液冷媒出口４０６とを有している。流出弁５５は、貯液部４０の液冷媒出口４０６を開閉する。
【０１５５】
これにより、上記実施形態と同様の作用効果を奏することができる。
【０１５６】
（第７実施形態）
上記第１実施形態では、複数個の蒸発器１３は、ガス配管１５および液配管１６に対して車両左方側に配置されているが、本実施形態では、図１６に示すように、複数個の蒸発器１３は、ガス配管１５および液配管１６に対して車両左右方向の両側に配置されている。図１６の例では、蒸発器１３が車両左右方向に３個ずつ配置されている。
【０１５７】
本実施形態においても、上記実施形態と同様の作用効果を奏することができる。
【０１５８】
（第８実施形態）
上記第１実施形態では、１組のガス配管１５および液配管１６が車両前後方向に延びているが、本実施形態では、図１７に示すように、凝縮器１４に接続された１組のガス配管１５および液配管１６が、蒸発器１３側で２組に分岐して車両前後方向に延びている。
【０１５９】
蒸発器１３は、各組のガス配管１５および液配管１６の途中に複数個ずつ配置されている。図１７の例では、蒸発器１３は、各組のガス配管１５および液配管１６の途中に２個ずつ配置されている。各組のガス配管１５および液配管１６において、２個の蒸発器１３は、互いに直列に配置されている。
【０１６０】
車両前後方向に延びるガス配管１５および液配管１６は２組に限定されるものではなく、３組以上の複数組であってもよい。
【０１６１】
各組のガス配管１５および液配管１６の途中に配置される蒸発器１３の個数は２個ずつに限定されるものではなく、１個でもよいし、３個以上の複数個であってもよい。
【０１６２】
本実施形態においても、上記実施形態と同様の作用効果を奏することができる。
【０１６３】
（第９実施形態）
上記実施形態では、凝縮器１４は蒸発器１３よりも車両の上方側に配置されているが、本実施形態では、図１８に示すように、凝縮器１４は蒸発器１３とほぼ同じ高さに配置されている。そのため、凝縮器１４に高温の冷却水を流すことによって組電池１１を加熱できる。
【０１６４】
凝縮器１４に高温の冷却水を流すことによって、凝縮器１４で液冷媒が蒸発し、蒸発器１３で組電池１１がガス冷媒から吸熱することによってガス冷媒が凝縮する。
【０１６５】
本実施形態によると、凝縮器１４に低温の冷却水を流すことによって組電池１１を冷却でき、凝縮器１４に高温の冷却水を流すことによって組電池１１を加熱できる。
【０１６６】
（第１０実施形態）
上記実施形態では、車両用サーモサイフォン式冷却装置１０によって組電池１１を冷却するが、本実施形態では、車両用サーモサイフォン式冷却装置１０のヒータ４１を利用して組電池１１を加熱する。
【０１６７】
制御装置３０は、図１９のフローチャートに示す制御処理を実行する。ステップＳ４００では、組電池１１の加熱が必要であるか否かを、電池セル温度センサ３１が検出した電池セル１１１の温度等に基づいて判定する。
【０１６８】
ステップＳ４００にて組電池１１の加熱が必要であると判定した場合、ステップＳ４１０へ進み、ヒータ４１を作動させるとともに貯液弁４４を開弁させる。
【０１６９】
これにより、貯液部４０内の液冷媒がヒータ４１で加熱されて蒸発してガス冷媒となる。貯液部４０内のガス冷媒は、図２０の矢印に示すように、ガス連通配管４３およびガス配管１５を通じて蒸発器１３に流入し、蒸発器１３で電池セル１１１に放熱して凝縮して液冷媒となる。蒸発器１３内の液冷媒は、液配管１６および液連通配管４２を通じて貯液部４０に流入する。
【０１７０】
したがって、車両用サーモサイフォン式冷却装置１０のヒータ４１を利用して組電池１１を加熱できる。
【０１７１】
（第１１実施形態）
上記実施形態では、凝縮器１４は、冷媒を冷却水回路２０の冷却水と熱交換させる熱交換器であるが、凝縮器１４は冷媒と種々の冷却用媒体とを熱交換させる熱交換器であってもよい。
【０１７２】
図２１に示す第１実施例のように、凝縮器１４は、冷媒を外気と熱交換させる熱交換器であってもよい。凝縮器１４には、室外送風機５９によって外気が送風される。凝縮器１４および室外送風機５９は、車両１のエンジンルームに配置されている。
【０１７３】
図２２に示す第２実施例のように、凝縮器１４は冷媒と冷却水回路２０の冷却水とを熱交換させる熱交換器であり、冷却水回路２０の冷却水は、冷凍サイクル６０の冷媒によって冷却されるようになっていてもよい。
【０１７４】
冷凍サイクル６０は、圧縮機６１と放熱器６２と電池冷却用膨張弁６３と冷却水冷却器６４とを備える。
【０１７５】
圧縮機６１は、冷凍サイクル６０の冷媒を吸入して圧縮し吐出する。放熱器６２は、圧縮機６１から吐出された冷媒を放熱させて凝縮させる熱交換器である。電池冷却用膨張弁６３は、放熱器６２で凝縮された冷媒を減圧膨張させる減圧部である。冷却水冷却器６４は、電池冷却用膨張弁６３で減圧膨張された冷凍サイクル６０の冷媒と、冷却水回路２０の冷却水とを熱交換させて、冷凍サイクル６０の冷媒を蒸発させるとともに冷却水回路２０の冷却水を冷却する。
【０１７６】
図２３に示す第３実施例のように、凝縮器１４は、冷媒回路１２の冷媒と冷凍サイクル６０の冷媒とを熱交換させる熱交換器であってもよい。凝縮器１４は、電池冷却用膨張弁６３で減圧膨張された冷凍サイクル６０の冷媒と、蒸発器１３で蒸発した冷媒回路１２の冷媒とを熱交換させて、冷凍サイクル６０の冷媒を蒸発させるとともに冷媒回路１２の冷媒を凝縮させる。
【０１７７】
図２４に示す第４実施例のように、冷凍サイクル６０は、空調用膨張弁６５および空調用蒸発器６６を備えていてもよい。
【０１７８】
空調用膨張弁６５は、放熱器６２で凝縮された冷媒を減圧膨張させる減圧部である。空調用蒸発器６６は、冷凍サイクル６０の冷媒と車室内へ送風させる空気とを熱交換させて車室内へ送風させる空気を冷却する冷却用熱交換器である。
【０１７９】
空調用膨張弁６５および空調用蒸発器６６は、冷凍サイクル６０の冷媒流れにおいて放熱器６２と並列に配置されている。
【０１８０】
電池冷却用膨張弁６３の冷媒入口には、電池冷却側開閉弁６７が配置されている。電池冷却側開閉弁６７は、電池冷却用膨張弁６３側の冷媒流路を開閉する電磁弁である。電池冷却側開閉弁６７の作動は、制御装置３０によって制御される。
【０１８１】
空調用膨張弁６５の冷媒入口には、空調側開閉弁６８が配置されている。空調側開閉弁６８は、電池冷却用膨張弁６３側の冷媒流路を開閉する電磁弁である。空調側開閉弁６８の作動は、制御装置３０によって制御される。
【０１８２】
本実施形態の第１〜第４実施例においても、上記実施形態と同様の作用効果を奏することができる。
【０１８３】
（他の実施形態）
上記実施形態を適宜組み合わせ可能である。上記実施形態を例えば以下のように種々変形可能である。
【０１８４】
（１）ガス配管１５および液配管１６は、車両搭載の都合上、車両の他の部品や部材を迂回するように配置されていてもよい。
【０１８５】
（２）上記実施形態では、組電池１１は、車両の床下に配置されているが、組電池１１は、車両の後方の、例えばトランクルームやリアシート下などに配置されていてもよい。組電池１１は、車両の前方の、例えばエンジンルームなどに配置されていてもよい。
【０１８６】
（３）上記実施形態では、冷媒回路１２の冷媒としてフロン系冷媒が用いられているが、作動時に超臨界状態にならない特性を持つ種々の冷媒が用いられてもよい。
【０１８７】
（４）上記実施形態では、車両用サーモサイフォン式冷却装置１０によって冷却される機器が組電池１１である例を示したが、車両用サーモサイフォン式冷却装置１０によって冷却される機器は、モータ、インバータ、充電器等の種々の車載機器であってもよい。
【０１８８】
（５）上記第１実施形態では、冷却水回路２０に冷却水が循環するが、冷却水の代わりに液体状の冷却媒体（例えば、絶縁オイル等の絶縁流体）が循環するようになっていてもよい。
【０１８９】
（６）蒸発器１３で電池セル１１１を冷却する構造は、上記実施形態に示した構造に限定されない。
【０１９０】
各電池セル１１１の外形は直方体状に限定されるものではなく、例えば円筒状やラミネート状であってもよい。
【０１９１】
（７）上記実施形態では、凝縮器１４と蒸発器１３とが車両前後方向に並んでいるが、これに限定されるものではなく、例えば、凝縮器１４と蒸発器１３とが車両左右方向に並んでいてもよい。
【０１９２】
（８）上記実施形態では、傾斜角度θの正負は、車両前方が上方を向く側が正であり、車両前方が下方を向く側が負であるが、傾斜角度θの正負は、これと逆であってもよい。すなわち、傾斜角度θの正負は、車両前方が下方を向く側が正で、車両前方が上方を向く側が負であってもよい。
【０１９３】
（９）上記実施形態では、車両前後方向の傾きに応じて貯液部４０の冷媒の貯留量を調整するが、これに限定されるものではなく、例えば、車両左右方向の傾きに応じて貯液部４０の冷媒の貯留量を調整してもよい。
【０１９４】
（１０）上記第１実施形態では、急速充電が開始される可能性が高い、または急速充電中である場合に貯液部４０の貯液量を所定量Ｖｐ以上に増加させるが、普通充電が開始される可能性が高い、または普通充電中である場合に貯液部４０の貯液量を所定量Ｖｐ以上に増加させてもよい。
【０１９５】
（１１）上記第１実施形態では、ステップＳ１１０において、貯液部４０の貯液量を液面センサ３２の検出信号に基づいて判定するが、他の種々の方法によって貯液部４０の貯液量を判定してもよい。
【０１９６】
例えば、冷媒回路１２内に封入した冷媒量に基づいて、貯液弁４４を開いた状態での液面の位置を推定し、推定した液面の位置に基づいて貯液量を推定してもよい。その際、ジャイロセンサ３３の検出した角度を用いてもよい。ジャイロセンサ３３の検出した角度を用いることにより、更に精度よく貯液量を推定することができる。
【０１９７】
(１２）上記第１実施形態では、ステップＳ１２０において、貯液部４０の貯液量を液面センサ３２の検出信号に基づいて判定するが、他の種々の方法によって貯液部４０の貯液量を判定してもよい。例えば、ヒータ４１の作動電力および作動時間に基づいて貯液量を推定してもよい。
【０１９８】
（１３）上記第１実施形態等では、制御装置３０および貯液弁４４は、充電が開始される可能性が高い、または充電中である場合に貯液部４０の貯液量を所定量Ｖｐ以上に増加させるが、制御装置３０および貯液弁４４は、組電池１１の発熱量に応じて貯液部４０の貯液量を調整してもよい。
【０１９９】
具体的には、制御装置３０および貯液弁４４は、組電池１１の発熱量が多いほど、貯液部４０の貯液量を増加させてもよい。
【０２００】
これによると、充電によって組電池１１の発熱量が多くなる場合のみならず、組電池１１の放電量が多くなって発熱量が増加する場合においても蒸発器１３内の液冷媒の吹き上げを抑制できるので、充電時に冷却性能を極力確保できる。
【０２０１】
例えば、停車中であっても、空調装置等の電気機器が組電池１１の電力を消費して組電池１１の発熱量が多くなる場合においても、蒸発器１３内の液冷媒の吹き上げを抑制できるので、冷却性能を極力確保できる。
【０２０２】
（１４）上記第２実施形態では、制御装置３０および貯液弁４４は、組電池１１が充電されている場合、または組電池１１が充電されると推定され、かつ車両の傾斜角度θが所定角度よりも小さい場合、貯留部４０の冷媒の貯留量を所定量Ｖｐ以上にする。
【０２０３】
これに対して、制御装置３０および貯液弁４４は、組電池１１の発熱量が所定量よりも多く、かつ車両の傾斜角度θが所定角度よりも小さい場合、貯液部４０の貯留量を所定量以上にしてもよい。
【０２０４】
これによると、車両の傾斜が少なくて蒸発器１３内の液冷媒に偏りが小さくなっているときに、充電によって組電池１１の発熱量が多くなる場合のみならず、組電池１１の放電量が多くなって発熱量が増加する場合においても蒸発器１３内の液冷媒の吹き上げを抑制できるとともに、蒸発器１３内に液冷媒が存在しない部位が生じることも抑制できる。そのため、冷却性能を極力確保できる。
【符号の説明】
【０２０５】
１１    二次電池
１３    蒸発器（蒸発部）
１４    凝縮器
３０    制御装置（貯留量調整部）
３３    ジャイロセンサ（傾斜量検出部）
４０    貯留部
４１    ヒータ（貯留量調整部）
４４    貯液弁（貯留量調整部）
４０１  冷媒入口（冷媒流通口）
４０２  冷媒出口（冷媒流通口）
【図１】
2020176784.tif 000003
【図２】
2020176784.tif 000004
【図３】
2020176784.tif 000005
【図４】
2020176784.tif 000006
【図５】
2020176784.tif 000007
【図６】
2020176784.tif 000008
【図７】
2020176784.tif 000009
【図８】
2020176784.tif 000010
【図９】
2020176784.tif 000011
【図１０】
2020176784.tif 000012
【図１１】
2020176784.tif 000013
【図１２】
2020176784.tif 000014
【図１３】
2020176784.tif 000015
【図１４】
2020176784.tif 000016
【図１５】
2020176784.tif 000017
【図１６】
2020176784.tif 000018
【図１７】
2020176784.tif 000019
【図１８】
2020176784.tif 000020
【図１９】
2020176784.tif 000021
【図２０】
2020176784.tif 000022
【図２１】
2020176784.tif 000023
【図２２】
2020176784.tif 000024
【図２３】
2020176784.tif 000025
【図２４】
2020176784.tif 000026